(57)【要約】      （修正有）【課題】処理槽本体に収容された薬剤処理領域に、薬剤検知センサが正常に機能しているか否かを把握する技術を提供する。【解決手段】水処理装置１００と、被処理水の薬剤処理を行う消毒槽１２０と、消毒剤１２２を収容する薬剤筒１２１と、薬剤筒１２１に収容された消毒剤１２２が消毒槽１２０に溶出するのを許容する開口部と、規定強度を上回る磁気を受けることによって作動する薬剤検知センサ１４０と、溶出するにつれて薬剤検知センサ１４０に近接するよう薬剤筒１２１内を移動する磁石１２４と、磁気コイル１５２と、電源ユニット１６２と、検出・送信部１６１と、消毒剤１２２の残量に関する情報を出力する出力部２４０と、薬剤検知センサ１４０の作動状態を検出・送信部１６１が検出した場合に、検出・送信部１６１の検出情報に基づいて薬剤検知センサ１４０が正常であるか異常であるかを示す情報を出力する出力部２４０と、を含む構成とされる。【選択図】図１
2011104486.tif 000002
【特許請求の範囲】
【請求項１】
処理槽本体に被処理水の水処理を行う水処理部が収容された水処理装置と、
前記水処理部のうち被処理水の薬剤処理を行う薬剤処理領域と、
前記薬剤処理領域に配設され、薬剤を収容する薬剤収容ハウジングと、
前記薬剤収容ハウジングに開口状に設けられ、前記薬剤収容ハウジングに収容された前記薬剤が前記薬剤処理領域に溶出するのを許容する開口部と、
前記薬剤収容ハウジングの外面側に取り付けられ、規定強度を上回る磁気を受けることによって作動する薬剤検知センサと、
前記薬剤収容ハウジングに収容され、前記薬剤が前記開口部を通じて溶出するにつれて前記薬剤検知センサに近接するよう前記薬剤収容ハウジング内を移動する磁石と、
前記薬剤検知センサに近接して設けられる磁気コイルと、
センサ判定モード時に前記磁気コイルを通電制御することによって、当該磁気コイルから前記薬剤検知センサに対し前記規定強度を上回る磁気を付与する通電制御部と、
前記薬剤検知センサの作動状態を検出するセンサ検出部と、
前記薬剤検知センサに前記磁石が近接したときの当該磁石の磁気によって前記薬剤検知センサが作動したことを前記センサ検出部が検出した場合に、前記薬剤の残量に関する情報を出力する第１の情報出力部と、
前記センサ判定モード時に前記通電制御部が前記磁気コイルを通電制御したとき、当該磁気コイルから付与された磁気による前記薬剤検知センサの作動状態を前記センサ検出部が検出した場合に、前記センサ検出部の検出情報に基づいて前記薬剤検知センサが正常であるか或いは異常であるかを示す情報を出力する第２の情報出力部と、
を含む構成であることを特徴とする水処理装置監視システム。
【請求項２】
請求項１に記載の水処理装置監視システムであって、
前記薬剤検知センサのセンサハウジングに連接して前記磁気コイルが配設された構成であることを特徴とする水処理装置監視システム。
【請求項３】
請求項１に記載の水処理装置監視システムであって、
前記薬剤検知センサに前記磁気コイルが巻き付けられた構成であることを特徴とする水処理装置監視システム。
【請求項４】
請求項１から３のうちのいずれか一項に記載の水処理装置監視システムであって、
前記水処理装置から離間した遠隔地に通信回線を隔てて配設された遠隔監視装置を備え、
前記通電制御部は、前記水処理装置に設けられ前記磁気コイルに電力を供給可能な電源ユニットと、前記遠隔監視装置に設けられ前記センサ判定モード時に前記通信回線を介して前記電源ユニットを作動させる駆動部とを含み、
前記センサ検出部は、前記水処理装置に設けられ前記薬剤検知センサが作動したときにオフ状態からオン状態に切り替わるスイッチ装置と、前記遠隔監視装置に設けられ前記スイッチ装置の作動状態を前記通信回線を介して受信する受信部とを含み、
前記第１の情報出力部は、前記遠隔監視装置に設けられ、前記スイッチ装置がオン状態に切り替わったことを前記受信部が受信した場合に、前記薬剤の残量に関する情報を出力し、
前記第２の情報出力部は、前記遠隔監視装置に設けられ、前記センサ判定モード時に前記スイッチ装置の作動状態を前記受信部が受信した場合に、前記受信部の受信情報に基づいて前記薬剤検知センサが正常であるか或いは異常であるかを示す情報を出力する、
ことを特徴とする水処理装置監視システム。
【請求項５】
請求項１から４のうちのいずれか一項に記載の水処理装置監視システムであって、
前記薬剤収容ハウジングは、処理槽本体の上下方向に長尺状に延在する筒状ハウジングとして構成され、
前記磁石は、Ｎ極及びＳ極が上下方向に連接して配設された両面２極構造とされた構成であり、
前記薬剤は、固形状に形成された複数の固形薬剤が上下に積み重ねられた状態で前記薬剤収容ハウジングに収容され、最下段の前記固形薬剤から順に前記開口部を通じて前記薬剤処理領域に溶出するとともに、所定段の前記固形薬剤の上に前記磁石が積み重ねられた構成であり、
前記薬剤検知センサは、前記薬剤収容ハウジングの外面のうち前記固形薬剤の最下段の位置に設けられ、磁性材料からなる二つの磁性体リード片が所定の隙間をもって相対したリードスイッチを含む構成であり、
前記薬剤の溶出に伴って前記磁石が前記薬剤収容ハウジング内を自重によって下降しつつ前記リードスイッチに近接し、当該磁石が前記規定強度を上回る磁気を前記二つの磁性体リード片に付与したときに前記二つの磁性体リード片が前記隙間において互いに接触し、これにより前記リードスイッチが作動することを特徴とする水処理装置監視システム。
【発明の詳細な説明】
【技術分野】
【０００１】
本発明は、被処理水に対し薬剤を溶出させて当該被処理水の薬剤処理を行う水処理装置を監視する水処理装置監視技術に関するものである。
【背景技術】
【０００２】
従来、一般家庭等から排出される生活排水や、産業廃水等の汚水などの被処理水を処理する水処理装置においては、水処理装置から排出する前の水に対し所定の薬剤処理を施す構成が知られている。またこの種の水処理装置では、薬剤処理が適正に遂行されているか否かを高価なセンサを用いることなく簡便に把握することが好ましい。
そこで本出願人は、この要請に応えるべく、下記特許文献１に記載のセンサのように、薬剤の消費状態を検知する薬剤検知センサを採用し、これにより薬剤処理が適正に遂行されているか否かを簡便に把握する技術を提案したが、薬剤を検知するこの種の薬剤検知センサを採用する際には、更に薬剤検知センサが正常に機能しているか否かを把握する技術が要請される。
【特許文献１】特開２００９−６３０３号公報
【発明の開示】
【発明が解決しようとする課題】
【０００３】
そこで本発明は、上記の点に鑑みてなされたものであり、処理槽本体に収容された薬剤処理領域に、薬剤を検知する薬剤検知センサが配設された水処理装置において、薬剤検知センサが正常に機能しているか否かを容易に把握するのに有効な技術を提供することを課題とする。
【課題を解決するための手段】
【０００４】
前記課題を解決するために、本発明が構成される。なお、本発明は、一般家庭等から排出される生活排水や産業廃水等の被処理水の浄化処理を行う水処理装置に対し好適に用いられる。
【０００５】
本発明にかかる水処理装置監視システムは、被処理水の水処理を行う装置であって、水処理装置、薬剤処理領域、薬剤収容ハウジング、開口部、薬剤検知センサ、磁石、磁気コイル、通電制御部、センサ検出部、第１の情報出力部及び第２の情報出力部を少なくとも備える。
【０００６】
水処理装置は、処理槽本体に被処理水の水処理を行う水処理部が収容された構成とされる。処理槽本体は、水処理部を収容する槽状体として構成される。薬剤処理領域は、水処理部のうち被処理水の薬剤処理を行う領域として構成される。この薬剤処理領域に、薬剤を収容する薬剤収容ハウジングが配設される。薬剤収容ハウジングは、典型的には処理槽本体の上下方向に関し長尺状に延在する筒状部材として構成される。開口部は、この薬剤収容ハウジングに開口状に設けられ、薬剤収容ハウジングに収容された薬剤が薬剤処理領域に溶出するのを許容する開口部分として構成される。すなわち、薬剤収容ハウジングの内部空間と薬剤収容ハウジング外の領域とが、この開口部を通じて連通する。薬剤は、典型的には所定の収容体に収容された固形状の薬剤とされ、被処理水の流れによって開口部を通じて溶出する構成とされる。薬剤が溶出することで薬剤処理領域被処理水の薬剤処理がなされる。この場合、薬剤を水処理装置の一構成要素とすることもできる。
【０００７】
薬剤検知センサは、薬剤収容ハウジングの外面側に取り付けられ、規定強度を上回る磁気を受けることによって作動するセンサとして構成される。この薬剤検知センサは、磁石から受ける磁気によってオン−オフ動作するスイッチとして構成されてもよいし、或いは磁石から受ける磁気の強さないし強弱の度合いを検出する検出体として構成されてもよい。磁石は、薬剤収容ハウジングに収容され、薬剤が開口部を通じて溶出するにつれて薬剤検知センサに近接するよう薬剤収容ハウジング内を移動する構成とされる。磁気コイルは、薬剤検知センサに近接して設けられる磁気発生用コイルとして構成される。通電制御部は、センサ判定モード時に磁気コイルを通電制御することによって、当該磁気コイルから薬剤検知センサに対し規定強度を上回る磁気を付与する制御部分として構成される。センサ検出部は、薬剤検知センサの作動状態を検出するセンサ検出部分として構成される。
【０００８】
第１の情報出力部は、薬剤検知センサに磁石が近接したときの当該磁石の磁気によって薬剤検知センサが作動したことをセンサ検出部が検出した場合に、薬剤の残量に関する情報を出力する情報出力部分として構成される。
【０００９】
ここでいう「薬剤の残量に関する薬剤情報」には、薬剤の有無や薬剤の残量をはじめ、薬剤の消費量や消費速度、薬剤が無くなった旨の情報や、薬剤が無くなりそうな下限管理値に達した旨の情報、また正常に薬剤処理が行われている旨の情報や、正常に薬剤処理が行われていない旨の情報、更には薬剤の消費に伴う薬剤補充時期や補充量等、薬剤の消費に関する種々の情報が広く包含される。また、薬剤情報出力部による出力態様に関しては、文字、数字、図柄などを表示器に表示出力する態様、音声、警報等をスピーカーに音出力する態様、更には薬剤検知センサによって検知された情報を、水処理装置から離間した場所において複数の水処理装置の遠隔監視を行う遠隔監視装置に向けて信号出力する態様などを適宜用いることが可能である。
【００１０】
第２の情報出力部は、センサ判定モード時に通電制御部が磁気コイルを通電制御したとき、当該磁気コイルから付与された磁気による薬剤検知センサの作動状態をセンサ検出部が検出した場合に、センサ検出部の検出情報に基づいて薬剤検知センサが正常であるか或いは異常であるかを示す情報を出力する情報出力部分として構成される。ここでいう薬剤検知センサの「異常」として、典型的には薬剤検知センサ自体の故障や、薬剤検知センサによる検知情報の通信経路の異常などが挙げられる。また、ここでいう「薬剤検知センサが正常であるか或いは異常であるかを示す情報」としては、薬剤検知センサが正常であるか或いは異常であるかを直接的に示唆する情報や、第１の情報出力部で出力される出力情報と同一の情報等が挙げられる。なお、本発明では、第２の情報出力部は、第１の情報出力部とは別の情報出力部分として構成されてもよいし、或いは第１の情報出力部によって兼務されてもよい。
【００１１】
このような構成の水処理装置監視システムによれば、水処理装置の使用者や管理者は、薬剤検知センサが正常に作動しているか、或いは薬剤検知センサが異常であるか、すなわち薬剤検知センサ自体の故障や、薬剤検知センサによる検知情報の通信経路の異常を容易に検出することが可能となる。
【００１２】
また、本発明にかかる更なる形態の水処理装置監視システムでは、前記の磁気コイルは、薬剤検知センサのセンサハウジングに連接して配設された構成であるのが好ましい。このような構成によれば、薬剤検知センサのセンサハウジングに連接して配設された磁気コイルによって、センサ判定モード時に薬剤検知センサに対しセンサ判定用の磁気を簡便に付与することが可能となる。
【００１３】
また、本発明にかかる別の形態の水処理装置監視システムでは、前記の磁気コイルは、薬剤検知センサに巻き付けられた構成であるのが好ましい。本構成には、薬剤検知センサを収容するセンサハウジング内において薬剤検知センサ自体に磁気コイルが巻き付けられる態様や、薬剤検知センサを収容するセンサハウジングの外面に磁気コイルが巻き付けられる態様等が包含される。このような構成によれば、薬剤検知センサのセンサハウジングに巻き付けられた磁気コイルによって、センサ判定モード時に薬剤検知センサにセンサ判定用の磁気を簡便に付与することが可能となる。また、このような構成によれば、薬剤検知センサと磁気コイルを合わせた大きさを抑えることができコンパクト化を図ることが可能となる。
【００１４】
また、本発明にかかる更なる形態の水処理装置監視システムは、水処理装置から離間した遠隔地に通信回線を隔てて配設された遠隔監視装置を備えるのが好ましい。また、通電制御部は、水処理装置に設けられ磁気コイルに電力を供給可能な電源ユニットと、遠隔監視装置に設けられセンサ判定モード時に通信回線を介して電源ユニットを作動させる駆動部とを含む構成であるのが好ましい。また、センサ検出部は、水処理装置に設けられ薬剤検知センサが作動したときにオフ状態からオン状態に切り替わるスイッチ装置と、遠隔監視装置に設けられスイッチ装置の作動状態を通信回線を介して受信する受信部とを含む構成であるのが好ましい。
【００１５】
上記構成において、第１の情報出力部は、遠隔監視装置に設けられ、スイッチ装置がオン状態に切り替わったことを受信部が受信した場合に、薬剤の残量に関する情報を出力し、第２の情報出力部は、遠隔監視装置に設けられ、センサ判定モード時にスイッチ装置の作動状態を受信部が受信した場合に、受信部の受信情報に基づいて薬剤検知センサが正常であるか或いは異常であるかを示す情報を出力する。このような構成によれば、水処理装置の使用者や管理者は、薬剤検知センサが正常に作動しているか、或いは薬剤検知センサが異常であるかを、遠隔地の遠隔監視装置で容易に検出することが可能となる。また、遠隔監視装置での遠隔監視構造によって、複数の水処理装置にそれぞれ設けられた薬剤検知センサの作動状態を一括して検出することが可能となり合理的である。
【００１６】
また、本発明にかかる更なる形態の水処理装置監視システムでは、前記の薬剤収容ハウジングは、処理槽本体の上下方向に長尺状に延在する筒状ハウジングとして構成されるのが好ましい。また、前記の磁石は、Ｎ極及びＳ極が上下方向に連接して配設された両面２極構造とされるのが好ましい。また、前記の薬剤は、固形状に形成された複数の固形薬剤が上下に積み重ねられた状態で薬剤収容ハウジングに収容され、最下段の固形薬剤から順に開口部を通じて薬剤処理領域に溶出するとともに、所定段の固形薬剤の上に磁石が積み重ねられた構成であるのが好ましい。更に、前記の薬剤検知センサは、薬剤収容ハウジングの外面のうち固形薬剤の最下段の位置に設けられ、磁性材料からなる二つの磁性体リード片が隙間をもって相対したリードスイッチを含む構成であるのが好ましい。
【００１７】
上記構成において、薬剤の溶出に伴って磁石が薬剤収容ハウジング内を自重によって下降しつつリードスイッチに近接し、当該磁石が規定強度を上回る磁気を二つの磁性体リード片に付与したときに二つの磁性体リード片が隙間において互いに接触し、これによりリードスイッチが作動する。このような構成によれば、二つの磁性体リード片が磁石から受ける磁気により隙間において互いに接触する作動範囲（典型的には、磁石の移動方向と交差する方向に関する作動範囲）を極力拡張することができ、リードスイッチの作動精度を高めるのに効果的である。
【発明の効果】
【００１８】
以上のように、本発明によれば、処理槽本体に収容された薬剤処理領域に、薬剤を検知する薬剤検知センサが配設された水処理装置において、薬剤検知センサが正常に機能しているか否かを容易に把握することが可能となった。
【発明を実施するための最良の形態】
【００１９】
以下に、本発明における一実施の形態の水処理装置の構成等を図面に基づいて説明する。なお、本実施の形態は、一般家庭等から排出される排水ないし原水の処理を行う水処理装置について説明するものである。
【００２０】
本発明にかかる「水処理装置監視システム」の一実施の形態の水処理装置監視システム１０の概要が図１に示される。図１に示すように、本実施の形態の水処理装置監視システム１０は、概して水処理装置１００及び遠隔監視装置２００を含む。
【００２１】
水処理装置１００は、当該水処理装置１００の外郭を形成する槽状の処理槽本体１０１を有し、この処理槽本体１０１の中空部分に水処理部１０１ａが収容される。水処理部１０１ａは、被処理水を貯留しつつ当該被処理水に対し各種の水処理を付与する機能を果たす。本実施の形態では、この水処理部１０１ａは、上流側処理槽１１０、消毒槽１２０及び貯留槽１３０を含む。流入部１０２を通じて処理槽本体１０１内に流入した排水は、上流側処理槽１１０、消毒槽１２０及び貯留槽１３０において順次処理され、処理後の水は流出部１０３を通じて処理槽本体１０１外へと流出する。この場合、水処理装置１００は、処理槽本体１０１外へと流出した水をそのまま放流する浄化槽として構成されてもよいし、或いは処理槽本体１０１外へと流出した水をトイレや散水用の水として再利用する水再利用装置として構成されてもよい。ここでいう処理槽本体１０１が、本発明における「処理槽本体」に相当し、この処理槽本体１０１に収容される水処理部１０１ａが、本発明における「水処理部」に相当する。
【００２２】
上流側処理槽１１０は、典型的には、被処理水中に含まれる夾雑物を、流入バッフル（図示省略）などの固液分離手段を用いて被処理水から分離する処理を行う夾雑物除去槽、被処理水から泡沫を分離する処理を行う泡沫分離槽、被処理水中の有機汚濁物質を嫌気処理（還元）する嫌気濾床槽、被処理水中の有機汚濁物質を好気処理（酸化）する接触ばっ気槽、被処理水中の浮遊物質を沈殿・除去する沈澱槽などのうちの１または複数の処理槽によって構成される。なお、本実施の形態では、各槽において処理される前の水や、当該処理過程において生じる水を「被処理水」ないし「水」と記載する。
【００２３】
消毒槽１２０は、上流側処理槽１１０から流入した水に対し消毒剤を供給する機能を有する処理槽として構成される。この消毒槽１２０は、被処理水の消毒処理を行うための固形状の消毒剤１２２が充填された薬剤筒１２１を薬筒棚１２０ａ（「越流樋」ともいう）内に備えており、被処理水の流れにともなって当該被処理水に消毒剤１２２が溶出するように構成されている。詳細については後述するが、この薬剤筒１２１は、処理槽本体１０１の上下方向に長尺状に延在する円筒状ハウジングとして構成される。この薬剤筒１２１が処理槽本体１０１に取り付けられ、また薬剤筒１２１の外面に薬剤検知センサ１４０が取り付けられ、更にはこの薬剤検知センサ１４０に近接した位置に磁気発生装置１５０が取り付けられる。これら薬剤検知センサ１４０及び磁気発生装置１５０はそれぞれ、ケーブル１４１，１５１によって通信端末１６０に接続されている。
【００２４】
消毒槽１２０において消毒剤１２２が溶出した被処理水は、この消毒槽１２０にて消毒処理がなされた後、貯留槽１３０に流入する。この貯留槽１３０では、流出部１０３を通じて流出する前の水が一時的に貯留されるとともに、この貯留状態において消毒処理が継続される。従って、この貯留槽１３０を被処理水の消毒処理を行う「消毒槽」と称呼するとともに、この貯留槽１３０へと消毒剤１２２を供給する前述の消毒槽１２０を貯留槽１３０に関する「薬剤供給装置」と称呼することもできる。なお、ここでいう消毒槽１２０、或いは消毒槽１２０とその下流の貯留槽１３０は、水処理部１０１ａのうち特に被処理水の消毒処理（薬剤処理）に関与する処理槽であり、本発明における「被処理水の薬剤処理を行う薬剤処理領域」を構成する。貯留槽１３０から流出した水は、水処理装置１００が水再利用装置として構成される場合には、トイレや散水装置へと移送され、また水処理装置１００が浄化槽として構成される場合には、そのまま側溝等に放流される。本構成に関連して、貯留槽１３０の下流に、更に別の槽、例えば放流用のポンプが設置された放流ポンプ槽などを設けてもよい。
【００２５】
通信端末１６０は、遠隔監視装置２００のサーバ（データ受信器）２１０に対し無線式或いは有線式の通信回線１７０によって接続された１つの(単一の)通信端末として構成される。ここでいう通信回線１７０が、本発明における「通信回線」に相当する。この通信端末１６０は、薬剤検知センサ１４０によって検知された情報を遠隔監視装置２００のサーバ２１０に伝送する機能を果たす一方、サーバ２１０からの制御信号を磁気発生装置１５０に入力する機能を果たす。なお、本実施の形態では、通信端末１６０が、薬剤検知センサ１４０からの検知情報の伝送に関与する通信端末と、磁気発生装置１５０への制御信号の入力に関与する通信端末との２つの通信端末に分割された構成を採用することもできる。
【００２６】
遠隔監視装置２００は、水処理装置１００から離間した遠隔地に配設され、水処理装置１００をはじめとする複数の水処理装置の監視ないし管理を継続して集中的に行うデータ管理センターとしての機能を有する。すなわち、各水処理装置１００の通信端末１６０がそれぞれ独立して、遠隔監視装置２００のサーバ２１０に対し通信回線１７０で接続されている。遠隔監視装置２００におけるこのような集中的な水質管理は、家庭用の水処理装置のように普及数が多い各水処理装置の処理情報を、集中して監視するのに特に有効である。ここでいう遠隔監視装置２００が本発明における「遠隔監視装置」に相当する。
【００２７】
この遠隔監視装置２００は、サーバ２１０のほか、データ処理部２２０、判定部２３０及び出力部２４０を備える。
【００２８】
サーバ２１０は、通信端末を含む構成とされ、データ処理部２２０からの要求に基づいて、通信回線１７０を介して水処理装置１００側へ制御信号を伝送し、また通信回線１７０を介して水処理装置１００側から伝送された情報をデータ処理部２２０に供給する機能を果たす。
【００２９】
データ処理部２２０は、データ演算処理、データ記憶処理、データ表示処理などの種々の処理機能を有する。特にこのデータ処理部２２０は、水処理装置１００の通信端末１６０側から伝送された、薬剤検知センサ１４０の作動状態を示す情報を処理するとともに、当該処理前或いは処理後の情報を蓄積する機能を果たす。
【００３０】
判定部２３０は、水処理装置１００の通信端末１６０側から伝送された、薬剤検知センサ１４０の作動状態を示す情報に基づいて、少なくとも第１及び第２の判定機能を果たす。
第１の判定機能は、薬剤検知センサ１４０の通常検知モードの際に、薬剤筒１２１における消毒剤１２２の薬剤切れ或いは薬剤量低下を判定する機能とされる。一方、第２の判定機能は、薬剤検知センサ１４０のセンサ判定モードの際に、薬剤検知センサ１４０が正常に作動しているか或いは異常であるかを判定する機能とされる。ここでいう薬剤検知センサ１４０の「異常」として、典型的には薬剤検知センサ１４０自体の故障や、薬剤検知センサ１４０による検知情報の通信経路の異常などが挙げられる。
【００３１】
出力部２４０は、判定部２３０の前述の第１の判定機能による第１の判定結果や、前述の第２の判定機能による第２の判定結果を報知する機能を有する。この出力部２４０による報知態様に関しては、文字、数字、図柄、色などを表示器に表示出力する態様、音声、警報等をスピーカーに音出力する態様などを適宜用いることが可能である。
【００３２】
またこの遠隔監視装置２００は、水処理装置１００の施主（使用者）、水処理装置１００の維持管理業者（維持管理者）、水処理装置１００の清掃業者（清掃作業者）、これら施主、維持管理業者或いは清掃業者に対し情報を提供する機能を有するのが好ましい。ここでいう「維持管理業者」とは、水処理装置１００の維持管理を行なうための専門知識を有する作業者とされ、典型的には施主から管理委託を請けた管理業者とされる。施主自身が維持管理業者となる場合もある。また、ここでいう「清掃業者」とは、典型的には施主から管理委託を請けた維持管理業者を介して間接的に、或いは施主から直に請けた清掃依頼に基づいて、水処理装置１００に貯留させた汚泥を引き抜く作業を定期的ないし非定常で行う作業者とされる。特に、遠隔監視装置２００が水処理装置１００の施主（使用者）や清掃業者に対し処理後の情報を送信可能に構成される場合には、施主や清掃業者は水処理装置１００における水処理状況に関する適正な情報、例えば次回の点検時期や清掃時期に関する情報を知ることが可能となる。
【００３３】
上記薬剤筒１２１の具体的な構成及び動作に関しては、図２及び図３が参照される。図２には、図１中の消毒槽１２０に設けられた薬剤筒１２１の消毒剤使用前における断面構造が示され、図３には、図１中の消毒槽１２０に設けられた薬剤筒１２１の消毒剤使用中における断面構造が示されている。
【００３４】
図２に示すように、本実施の形態の薬剤筒１２１は、中空状の収容空間１２１ａを有する薬剤筒ハウジングとして構成される。そして、この収容空間１２１ａに複数（図２に示す例では４つ）の消毒剤１２２が上下に積み重ねられて収容される。また、この薬剤筒１２１は、上下方向に延在する筒形状のハウジング上部を塞ぐ蓋部材１２７を備える構成とされる。この蓋部材１２７は、使用時にハウジング上部に装着される一方、消毒剤１２２の充填時やメンテナンス時等に開放される。消毒剤１２２は、薬剤筒１２１の内径を下回る径の固形消毒剤、典型的には塩素系の固形消毒剤として構成される。このような塩素系の固形消毒剤を使用する場合には、薬剤筒１２１の内壁部分にコーティング層（例えばフッ素樹脂コーティング）を設けるか、或いは薬剤筒１２１自体の材質を適宜に選択することにより薬剤筒１２１の耐塩素性を確保するのが好ましい。ここでいう薬剤筒１２１が、本発明における「薬剤収容ハウジング」に相当し、またここでいう消毒剤１２２が、本発明における「薬剤」及び「固形薬剤」に相当する。
【００３５】
また、薬剤筒１２１の筒壁（ハウジング）のうちこの収容空間１２１ａの下部領域、すなわち最下段の消毒剤１２２が位置する部位には、筒壁内の収容空間１２１ａと筒壁外とを連通する開口状の開口部１２３が設けられている。この開口部１２３は、上流側処理槽１１０から消毒槽１２０へと流入した水が流れる流通路１２６上に配設されており、薬剤筒１２１の収容空間１２１ａに収容された消毒剤１２２が消毒槽１２０に溶出するのを許容する。ここでいう開口部１２３が、本発明における「開口部」に相当する。
【００３６】
本構成によれば、流通路１２６を流通する被処理水がこの薬剤筒１２１の開口部１２３を流通する被処理水によって、上下に積み重ねられた複数の消毒剤１２２のうちの下段の消毒剤１２２から順に被処理水に連続的に溶出し、当該被処理水の消毒処理（塩素消毒処理）に供するようになっている。また、本実施の形態では、収容空間１２１ａの最上段の消毒剤１２２の上に磁石１２４が積み重ねられて配置（載置）されるようになっている。すなわち、最上段の消毒剤１２２によって磁石１２４が下方から支持される構成になっている。
【００３７】
また、本実施の形態の薬剤筒１２１は、保持部材１２５を介して処理槽本体１０１に取り付けられる構成とされる。この保持部材１２５は、処理槽本体１０１に直接的或いは間接的に取り付け固定され、薬剤筒１２１の長尺方向と交差する方向に延在する平板状の部材として構成され、この保持部材１２５には、それぞれ開口形成された第１保持部１２５ａ及び第２保持部１２５ｂが開口形成されている。第１保持部１２５ａは、円筒状の薬剤筒１２１の外径よりも若干大きな内径の開口部分であり、この開口部分に薬剤筒１２１が挿入される（差し込まれる）ことによって、当該薬剤筒１２１は、保持部材１２５に対して、すなわち処理槽本体１０１に対して保持固定される。従って、この保持部材１２５を、薬剤筒１２１を固定するための薬剤筒固定具ともいうことができる。第２保持部１２５ｂは、第１保持部１２５ａに連接して設けられ、薬剤検知センサ１４０及び磁気発生装置１５０を一体的に挿入可能な内径の開口部分であり、この開口部分に薬剤検知センサ１４０及び磁気発生装置１５０が挿入される（差し込まれる）ことによって、これら薬剤検知センサ１４０及び磁気発生装置１５０が薬剤筒１２１の下部の側方（外表面）に保持される。第２保持部１２５ｂは、薬剤検知センサ１４０及び磁気発生装置１５０をそれぞれ別個に挿入可能な２つの開口部分として構成されてもよい。上述のように、本実施の形態では、処理槽本体１０１に薬剤筒１２１を取り付ける第１保持部１２５ａと、薬剤筒１２１の外面側に薬剤検知センサ１４０及び磁気発生装置１５０を取り付ける第２保持部１２５ｂが一体状に構成されている。薬剤検知センサ１４０は、第２保持部１２５ｂによって保持された状態では、薬剤筒１２１の外面のうち特に消毒剤１２２の最下段の位置に配設される。
【００３８】
このような構成の保持部材１２５を用いれば、処理槽本体１０１に対し薬剤筒１２１が取り付けられるとともに、薬剤筒１２１に対する薬剤検知センサ１４０及び磁気発生装置１５０が所定の位置に位置決めされる。これにより、処理槽本体１０１に薬剤筒１２１を取り付ける機能と、薬剤筒１２１の外面側に薬剤検知センサ１４０及び磁気発生装置１５０を取り付ける機能が、第１保持部１２５ａ及び第２保持部１２５ｂが一体状に構成された単一の保持部材１２５によって兼用化されるため合理的である。
【００３９】
なお、本構成に関連して、保持部材１２５のうちの第２保持部１２５ｂを省略した上で、薬剤検知センサ１４０を薬剤筒１２１の外表面に直に被着して取り付ける構造を採用してもよい。また、上記構成の保持部材１２５にかえて、薬剤筒１２１や、薬剤検知センサ１４０及び磁気発生装置１５０をそれぞれ、クランプ状に保持（挟持）する保持部分、或いは収容保持する保持部分を有するホルダ（ブラケット）を採用することもできる。このようなホルダを用いる場合には、薬剤筒１２１の底部に設けた保持部分に薬剤検知センサ１４０を取り付ける構造や、薬剤筒１２１の底部に薬剤検知センサ１４０を直に被着して取り付ける構造を採用することによって、薬剤筒１２１の底部領域に薬剤検知センサ１４０を保持するようにしてもよい。薬剤筒１２１の底部領域に薬剤検知センサ１４０を保持する上記の各構造の場合、薬剤検知センサ１４０に磁気発生装置１５０を直に被着して取り付ける構造や、磁気発生装置１５０をブラケット等を用いて独立して薬剤筒１２１に取り付ける構造を採用することができる。
【００４０】
上記構成の薬剤筒１２１において、消毒剤１２２は、被処理水に対する溶出によって消費されるため、図２に示すように薬剤筒１２１の延在方向（図２中の上下方向）に関する積み重ね高さＬが徐々に低下していく。また、複数の消毒剤１２２のこの積み重ね高さＬの低下（消毒剤消費）に伴って、収容空間１２１ａにおける磁石１２４の位置がその自重によって下方へと変位し、図３に示すように磁石１２４が薬剤検知センサ１４０に近接する方向に下降していく。これにより、磁石１２４から薬剤検知センサ１４０に作用する磁気の強度が高まることとなる。上述のように本実施の形態の磁石１２４は、薬剤筒１２１の収容空間１２１ａに収容され、消毒剤１２２が開口部１２３を通じて溶出するにつれて薬剤検知センサ１４０に近接するよう収容空間１２１ａ内を移動し、消毒剤１２２の残量に応じてその収容位置が可変とされる構成になっている。この場合、磁石１２４の収容位置の変化量が、薬剤筒１２１の上下の延在方向に関し薬剤の消費高さに概ね合致する。
【００４１】
ここで、上記の磁石１２４、薬剤検知センサ１４０及び磁気発生装置１５０の具体的な構成に関しては図４が参照される。図４には、本実施の形態の薬剤検知センサ１４０及び磁気発生装置１５０の概略構成を示す断面図であって、通常運転モード時において薬剤検知センサ１４０が作動する前の様子が示されている。なお、この図４及び後述の図５では、便宜上、前述の保持部材１２５の記載を省略している。
【００４２】
図４に示すように、本実施の形態の磁石１２４は、Ｓ極及びＮ極が上下方向に連接して配設された、いわゆる「両面２極構造」の永久磁石であって、典型的には円柱形状、円筒形状ないし環状（ドーナツ状）とされる。この磁石１２４として、必要に応じて左右２極、片面２極、左右多極、両面片面多極、円筒内周面多極、円柱２極、円柱多極、円筒外周面多極、（複合）多極円板、スキュー付円筒多極、角形多極、丸形多極、２極セグメント等の永久磁石を採用することもできる。ここでいう磁石１２４が、本発明における「磁石」に相当する。
【００４３】
本実施の形態の薬剤検知センサ１４０は、いわゆる「リードスイッチ」或いは「マグネットスイッチ」と称呼されるスイッチであり、磁石１２４で生じる磁気を検知してオン動作及びオフ動作する機能を有する。この薬剤検知センサ１４０は、具体的には、図４に示すように不活性ガスが充填されたガラス管１４２がセンサハウジング１４０ａ内に収容され、またガラス管１４２の中に二本のリード片１４３，１４４が封入された構成とされる。薬剤検知センサ１４０を構成するこれら第１のリード片１４３及び第２のリード片１４４は、いずれも磁性材料からなる磁性体リード片として構成され、第１のリード片１４３の一端部１４３ａの接点と、第２のリード片１４４の一端部１４４ａの接点との間の隙間をもって相対している。この薬剤検知センサ１４０は、薬剤筒１２１の外面側に取り付けられ、規定強度を上回る磁気を受けることによって作動する（オン動作する）構成とされる。ここでいう薬剤検知センサ１４０が、本発明における「薬剤検知センサ」及び「リードスイッチ」に相当し、またこの薬剤検知センサ１４０を構成する二本のリード片１４３，１４４が、本発明における「二つの磁性体リード片」に相当する。
【００４４】
一方で、第１のリード片１４３及び第２のリード片１４４は、ケーブル１４１を介して通信端末１６０の検出・送信部１６１に接続されている。通信端末１６０の検出・送信部１６１は、薬剤検知センサ１４０の作動状態を検出するとともに、当該作動状態に関する情報を遠隔監視装置２００のサーバ２１０へ伝送する機能を果たす。具体的には、検出・送信部１６１は、薬剤検知センサ１４０が作動したときにオフ状態からオン状態に切り替わるスイッチ装置として構成される。一方、遠隔監視装置２００のサーバ２１０は、検出・送信部１６１の作動状態（オン状態或いはオフ状態）を通信回線１７０を介して受信する受信部として構成される。ここでいう検出・送信部１６１によって、本発明における「センサ検出部」及び「スイッチ装置」が構成され、またここでいう遠隔監視装置２００のサーバ２１０によって、本発明における「受信部」が構成される。
【００４５】
本実施の形態の磁気発生装置１５０は、コイルハウジング１５０ａに収容された磁気コイル１５２（「電磁コイル」ともいう）を備える。この磁気コイル１５２は、コイルハウジング１５０ａに収容された状態でセンサハウジング１４０ａに連接して設けられ、ケーブル１５１を介して電源ユニット１６２に接続されている。電源ユニット１６２は、遠隔監視装置２００のサーバ２１０から通信回線１７０を介して伝送された駆動制御信号に基づいて、後述するセンサ判定モード時に磁気コイル１５２を通電制御する構成とされる。電源ユニット１６２によって通電制御された磁気コイル１５２は、薬剤検知センサ１４０を作動させることが可能な規定強度の磁気を少なくとも発生させる機能を果たす。ここでいう磁気コイル１５２が、本発明における「磁気コイル」に相当し、この磁気コイル１５２を通電制御する電源ユニット１６２によって、本発明における「通電制御部」及び「電源ユニット」が構成される。また、遠隔監視装置２００のサーバ２１０は、センサ判定モード時に通信回線１７０を介して電源ユニット１６２を作動させる駆動部とされ、本発明における「駆動部」を構成する。
【００４６】
上記の薬剤検知センサ１４０及び磁気発生装置１５０の具体的な動作に関しては、図４に加えて更に図５及び図６が参照される。ここで図５には、本実施の形態の薬剤検知センサ１４０及び磁気発生装置１５０の概略構成を示す断面図であって、通常運転モード時において薬剤検知センサ１４０が作動した時の様子が示されている。また、図６には、本実施の形態の薬剤検知センサ１４０及び磁気発生装置１５０の概略構成を示す断面図であって、センサ判定モード時において薬剤検知センサ１４０が作動した時の様子が示されている。
【００４７】
薬剤検知センサ１４０の動作に関しては、図４に示すように、磁石１２４からの規定強度の磁気が及ばない領域に薬剤検知センサ１４０が離間した場合には、薬剤検知センサ１４０が非作動状態（スイッチが切れたオフ状態）とされ、第１のリード片１４３の一端部１４３ａの接点と、第２のリード片１４４の一端部１４４ａの接点の接触が生じない。この場合、通信端末１６０の検出・送信部１６１は、消毒剤１２２の残量が有ることを示す情報を、通信回線１７０を介して遠隔監視装置２００（図１中のサーバ２１０）に送信するか、或いは情報自体を送信しない。
【００４８】
これに対し、図５に示すように、通常運転モード時に磁石１２４が薬剤検知センサ１４０に近接する方向に下降し、両面２極構造とされた磁石１２４が薬剤検知センサ１４０を上方から下方へと横切る方向に近接して、薬剤検知センサ１４０が磁石１２４から受ける磁気が規定強度に達すると、薬剤検知センサ１４０が作動状態（スイッチが入った「オン状態」ともいう）とされる。具体的には、この近接動作に伴って第１のリード片１４３は、一端部１４３ａがＮ極となり他端部１４３ｂがＳ極となるのに対し、第２のリード片１４４は、一端部１４４ａがＳ極となり他端部１４４ｂがＮ極となるため、第１のリード片１４３の一端部１４３ａ（接点）と第２のリード片１４４の一端部１４４ａ（接点）が磁気吸引力によって吸引され、前記の隙間において互いに接触する（図５参照）。これによって、薬剤検知センサ１４０が作動状態とされる。
【００４９】
薬剤検知センサ１４０が作動状態になることによって、ケーブル１４１を介してこの薬剤検知センサ１４０に接続された検出・送信部１６１は、薬剤検知センサ１４０が作動したことを検出し、当該検出情報を通信回線１７０を介して遠隔監視装置２００（図１中のサーバ２１０）に送信する。遠隔監視装置２００では、サーバ２１０で受信された情報に基づいて、消毒剤１２２の残量に関する情報が出力部２４０によって出力される。この場合の出力部２４０の出力情報としては、消毒剤１２２の有無や残量をはじめ、消毒剤１２２の消費量や消費速度、消毒剤１２２が無くなった旨の情報や、消毒剤１２２が無くなりそうな下限管理値に達した旨の情報、また正常に消毒処理が行われている旨の情報や、正常に消毒処理が行われていない旨の情報、更には消毒剤１２２の消費に伴う消毒剤補充時期や補充量等、消毒剤１２２の消費に関する種々の情報が広く包含される。また、この場合の出力部２４０の出力態様に関しては、文字、数字、図柄などを表示器に表示出力する態様、音声、警報等をスピーカーに音出力する態様などを適宜用いることが可能である。これにより、消毒槽１２０の点検や、消毒槽１２０における消毒剤１２２の補充作業が、水処理装置１００の使用者や管理者に対し促すことが可能となる。この場合の出力部２４０は、磁石１２４が薬剤検知センサ１４０に近接して、当該磁石１２４の磁気によって薬剤検知センサ１４０が作動したことを検出・送信部１６１が検出した場合に、消毒剤１２２の残量に関する情報を出力する情報出力部とされ、本発明における「第１の情報出力部」に相当する。
【００５０】
また、本実施の形態において、磁石１２４の外径が薬剤筒１２１の内径とほぼ同じか、当該消毒剤１２２の外径を若干下回る構成であるのが好ましい。更には、磁石１２４の角に円弧状のＲ部分を設ける構成や、磁石１２４全体の形状を上方側が凹んだ湾曲状とする構成を採用するのが好ましい。このような構成によれば、消毒剤１２２が下段側から順次消費されて磁石１２４が下降する場合に、この磁石１２４が薬剤筒１２１の内壁に引っ掛かるのを防止し、磁石１２４の円滑な下降動作を確保することができ、これによって消毒剤１２２の残量に関する情報を薬剤検知センサ１４０によって正確に検知することが可能となる。
【００５１】
磁気発生装置１５０の動作に関しては、遠隔監視装置２００のサーバ２１０から通信回線１７０を介して電源ユニット１６２に駆動制御信号が伝送されない場合、或いは停止信号が伝送されている場合には、電源ユニット１６２のスイッチがオフ状態に設定される。この際、磁気コイル１５２が磁気を発生することがないため薬剤検知センサ１４０が作動しない。
【００５２】
これに対し、図６に示すセンサ判定モードでは、遠隔監視装置２００のサーバ２１０が通信回線１７０を介して電源ユニット１６２に駆動制御信号を伝送する。これにより、電源ユニット１６２のスイッチがオン状態に設定される。この際、磁気コイル１５２は、薬剤検知センサ１４０を作動させることが可能な規定強度の磁気を生じ、この磁気コイル１５２からのセンサ判定用の磁気が薬剤検知センサ１４０に作用する。
【００５３】
このとき、薬剤検知センサ１４０が正常な状態であれば、磁気コイル１５２の磁気が作用することによって薬剤検知センサ１４０が作動状態となる。従って、薬剤検知センサ１４０のこの作動状態を示す情報が、検出・送信部１６１から通信回線１７０を介して遠隔監視装置２００のサーバ２１０に送信される。遠隔監視装置２００では、センサ判定モード時にサーバ２１０で受信された情報に基づいて、出力部２４０が、薬剤検知センサ１４０が正常に作動していることを示す情報を出力する。この場合の出力部２４０の出力情報としては、薬剤検知センサ１４０が正常であることを直接的に示唆する情報であってもよいし、或いは前述の通常運転モード時に出力される、消毒剤１２２の残量に関する情報のように、薬剤検知センサ１４０が正常であることを間接的に示唆する情報であってもよい。特に出力部２４０の出力情報として消毒剤１２２の残量に関する情報を用いる場合には、出力部２４０は、通常運転モード時とセンサ判定モード時で同一の出力情報を出力すればよく、これにより出力部２４０に関するシステム構成を簡素化することが可能となる。
【００５４】
一方、薬剤検知センサ１４０が異常な状態（例えば故障した状態）であれば、磁気コイル１５２の磁気が作用したとしても薬剤検知センサ１４０が作動しない。従って、薬剤検知センサ１４０のこの非作動状態を示す情報が、検出・送信部１６１から通信回線１７０を介して遠隔監視装置２００のサーバ２１０に送信されるか、或いは薬剤検知センサ１４０にかかる情報自体がサーバ２１０に送信されない。このとき、遠隔監視装置２００では、出力部２４０が、薬剤検知センサ１４０が異常であることを示す情報を出力する。この場合の出力部２４０の出力情報としては、薬剤検知センサ１４０が異常であることを直接的に示唆する情報であるのが好ましい。
【００５５】
このように、この場合の出力部２４０は、センサ判定モード時に電源ユニット１６２が磁気コイル１５２を通電制御したとき、当該磁気コイル１５２から付与された磁気による薬剤検知センサ１４０の作動状態を検出・送信部１６１が検出した場合に、検出・送信部１６１の検出情報に基づいて薬剤検知センサ１４０が正常であるか或いは異常であるかを示す情報を出力する情報出力部とされ、本発明における「第２の情報出力部」に相当する。
【００５６】
なお、本実施の形態では、遠隔監視装置２００のサーバ２１０は、一定時間毎ないし一定期間毎に通信回線１７０を介して電源ユニット１６２に駆動制御信号を自動的に伝送することによって、定期的にセンサ判定モードを遂行し、薬剤検知センサ１４０が正常であるか或いは異常であるかを自動的に判定するのが好ましい。また、この形態に代えて、或いはこの形態に追加して、管理者が任意のタイミングでサーバ２１０を手動で制御してセンサ判定モードを遂行する形態を採用することもできる。
【００５７】
以上のように、本実施の形態の水処理装置監視システム１０によれば、水処理装置１００の使用者や管理者は、薬剤検知センサ１４０が正常に作動しているか、或いは薬剤検知センサ１４０が異常であるか、すなわち薬剤検知センサ１４０自体の故障や、薬剤検知センサ１４０による検知情報の通信経路の異常を、特に遠隔地の遠隔監視装置２００で容易に検出することが可能となる。また、遠隔監視装置２００での遠隔監視構造によって、複数の水処理装置１００にそれぞれ設けられた薬剤検知センサ１４０の作動状態を一括して検出することが可能となり合理的である。
【００５８】
また、上記実施の形態によれば、薬剤検知センサ１４０のセンサハウジング１４０ａに連接して配設された磁気コイル１５２によって、センサ判定モード時に薬剤検知センサ１４０に対しセンサ判定用の磁気を簡便に付与することが可能となる。
【００５９】
また、上記実施の形態によれば、両面２極構造とされた磁石１２４が薬剤検知センサ１４０（リードスイッチ）を上方から下方へと横切る方向に近接することで、二つの磁性体リード片１４３，１４４が磁石１２４から受ける磁気により隙間において互いに接触する構成を採用することによって、二つの磁性体リード片１４３，１４４が磁石１２４から受ける磁気により隙間において互いに接触する作動範囲（典型的には、磁石１２４の上下の移動方向と交差する方向に関する作動範囲）を極力拡張することができ、リードスイッチの作動精度を高めるのに効果的である。
【００６０】
〔他の実施の形態〕
なお、本発明は上記の実施の形態のみに限定されるものではなく、種々の応用や変形が考えられる。例えば、上記実施の形態を応用した次の各形態を実施することもできる。
【００６１】
上記実施の形態の磁気発生装置１５０では、磁気コイル１５２は、コイルハウジング１５０ａに収容された状態でセンサハウジング１４０ａに連接して設けられる場合について記載したが、本発明では磁気コイル１５２が薬剤検知センサ１４０に対し磁気を付与することが可能な種々の形態を採用し得る。本構成に関しては図７及び図８が参照される。これら図７及び図８にはそれぞれ、図４に関連して、薬剤検知センサ１４０に対する磁気コイル１５２の配置態様の別実施の形態が示される。
【００６２】
図７に示す実施形態の磁気発生装置１５０では、薬剤検知センサ１４０を収容するセンサハウジング１４０ａ内において薬剤検知センサ１４０自体に磁気コイル１５２が巻き付けられている。また、図８に示す実施形態の磁気発生装置１５０では、薬剤検知センサ１４０を収容するセンサハウジング１４０ａの外面に磁気コイル１５２が巻き付けられている。このような各構成によっても、磁気コイル１５２をセンサハウジング１４０ａに連接して配設する前述の実施形態と同様に、センサ判定モード時に薬剤検知センサ１４０にセンサ判定用の磁気を簡便に付与することが可能となる。更には、薬剤検知センサ１４０自体に、或いは薬剤検知センサ１４０のセンサハウジング１４０ａの外面に磁気コイル１５２を巻き付ける構成によって、薬剤検知センサ１４０と磁気発生装置１５０を合わせた大きさを抑えることができコンパクト化を図ることが可能となる。
【００６３】
また、上記実施の形態では、通常運転モード時に消毒剤１２２の残量に関する薬剤情報を出力する第１の情報出力部と、センサ判定モード時に薬剤検知センサ１４０が正常であるか或いは異常であるかを示す情報を第２の情報出力部とが、単一の出力部２４０によって兼務する場合について記載したが、本発明では、第１の情報出力部及び第２の情報出力部をそれぞれ別個の出力部によって出力する構成を採用することもできる。
【００６４】
また、上記実施の形態では、遠隔監視装置２００による遠隔監視構造に代えて、或いは当該遠隔監視構造に加えて、消毒剤１２２の残量に関する薬剤情報や、薬剤検知センサ１４０が正常であるか或いは異常であるかを示す情報を、水処理装置１００の設置場所に設置された現場設置型の出力部によって出力する構成を採用することもできる。このような構成によれば、水処理装置１００の使用者や管理者は、消毒剤１２２の残量に関する情報や、薬剤検知センサ１４０が正常であるか或いは異常であるかを示す情報を、水処理装置１００が設置されている現場にて把握することが可能となる。
【００６５】
また、上記実施の形態では、消毒剤１２２が薬剤筒１２１の収容空間１２１ａにおいて上下に積み重ねられることによって規則的に充填される場合について記載したが、本発明では、粒状の薬剤が不規則充填される構成を採用することもできる。
【００６６】
また、本発明では、薬剤検知センサ１４０及び磁気発生装置１５０は、薬剤筒１２１の最下段に限らず最下段よりも上方に設置される構成であってよい。このような構成によれば、薬剤検知センサ１４０によって磁石１２４の磁気が検知された時点では、磁石１２４よりも下方に未使用の消毒剤１２２が残留しており、消毒剤１２２が完全に無くなるまでの時間的猶予が付与されることとなる。
【００６７】
また、本実施の形態において、薬剤検知センサ１４０は、磁石１２４から受ける磁気によってオン−オフ動作するスイッチとして構成したが、本発明において、薬剤検知センサは、ホール効果を応用したホール素子薬剤検知センサのように、磁石から受ける磁気の強さないし強弱の度合いを検出するとともに、検出されたこの磁気の強さないし強弱の度合いに基づいて、薬剤の残量に関する情報が出力される構成であってもよい。また、ホール素子薬剤検知センサ以外として、磁気抵抗効果を応用した磁気抵抗（ＭＲ）素子による薬剤検知センサや、いわゆる角型特性のＢ−Ｈカーブをもつコアを使用したフラックス・ゲート（磁気変調）型薬剤検知センサ等を用いることもできる。
【００６８】
また、本実施の形態では、薬剤筒１２１内における磁石１２４の収容位置が、薬剤筒１２１の上下の延在方向に関し消毒剤１２２の消費高さに概ね合致して変化する構成について記載したが、本発明では、薬剤筒１２１内における磁石１２４の収容位置が消毒剤１２２の消費に応じて収可変とされればよく、当該収容位置が消毒剤１２２の消費高さとは独立して変化する構成を採用することもできる。
【００６９】
また、上記実施の形態では、薬剤検知センサ１４０が薬剤筒１２１の側方（外表面）に配設される場合について記載したが、本発明では、薬剤検知センサ１４０の配設位置は薬剤筒１２１の側方に限定されるものではなく必要に応じて種々変更可能である。例えば、薬剤筒１２１の底面に薬剤検知センサ１４０を配設することもできる。要するに、消毒剤１２２が消費されることによって、磁石１２４と薬剤検知センサ１４０が近接し、磁石１２４の磁気が薬剤検知センサ１４０にて検出される構成であればよい。この場合、薬剤検知センサ１４０の配設位置に応じて、磁気発生装置１５０の配設位置が設定される。
【００７０】
また、上記実施の形態では、消毒処理がなされる消毒槽１２０に設置される薬剤検知センサ１４０について記載したが、本発明では、水処理部１０１ａのうち消毒槽１２０以外の薬剤処理領域に設置される薬剤検知センサに対し、本発明を適用することもできる。この場合、薬剤筒１２１に収容される薬剤は消毒剤１２２以外であってもよく、また薬剤の形態は、固形状のみならず、液状、ゲル状等であってもよい。
【００７１】
また、上記実施の形態では、家庭用の水処理装置について記載したが、本発明は、家庭用の水処理装置のみならず、工場などに設置される各種の水処理装置に対しても同様に適用可能な技術である。
【図面の簡単な説明】
【００７２】
【図１】本発明にかかる「水処理装置監視システム」の一実施の形態の水処理装置監視システム１０の概要を示す図である。
【図２】図１中の消毒槽１２０に設けられた薬剤筒１２１の消毒剤使用前における断面構造を示す図である。
【図３】図１中の消毒槽１２０に設けられた薬剤筒１２１の消毒剤使用中における断面構造を示す図である。
【図４】本実施の形態の薬剤検知センサ１４０及び磁気発生装置１５０の概略構成を示す断面図であって、通常運転モード時において薬剤検知センサ１４０が作動する前の様子を示す。
【図５】本実施の形態の薬剤検知センサ１４０及び磁気発生装置１５０の概略構成を示す断面図であって、通常運転モード時において薬剤検知センサ１４０が作動した時の様子を示す。
【図６】本実施の形態の薬剤検知センサ１４０及び磁気発生装置１５０の概略構成を示す断面図であって、センサ判定モード時において薬剤検知センサ１４０が作動した時の様子を示す。
【図７】図４に関連して、薬剤検知センサ１４０に対する磁気コイル１５２の配置態様の別実施の形態を示す図である。
【図８】図４に関連して、薬剤検知センサ１４０に対する磁気コイル１５２の配置態様の別実施の形態を示す図である。
【符号の説明】
【００７３】
１０…水処理装置監視システム
１００…水処理装置
１０１…処理槽本体
１０１ａ…水処理部
１０２…流入部
１０３…流出部
１１０…上流側処理槽
１２０…消毒槽
１２０ａ…薬筒棚
１２１…薬剤筒
１２１ａ…収容空間
１２２…消毒剤
１２３…開口部
１２４…磁石
１２５…保持部材
１２５ａ…第１保持部
１２５ｂ…第２保持部
１２６…流通路
１２７…蓋部材
１３０…貯留槽
１４０…薬剤検知センサ
１４０ａ…センサハウジング
１４１…ケーブル
１４２…ガラス管
１４３…第１のリード片
１４４…第２のリード片
１４３ａ，１４４ａ…一端部
１４３ｂ，１４４ｂ…他端部
１５０…磁気発生装置
１５０ａ…コイルハウジング
１５１…ケーブル
１５２…磁気コイル
１６０…通信端末
１６１…検出・送信部
１６２…電源ユニット
１７０…通信回線
２００…遠隔監視装置
２１０…サーバ
２２０…データ処理部
２３０…判定部
２４０…出力部
【図１】
2011104486.tif 000003
【図２】
2011104486.tif 000004
【図３】
2011104486.tif 000005
【図４】
2011104486.tif 000006
【図５】
2011104486.tif 000007
【図６】
2011104486.tif 000008
【図７】
2011104486.tif 000009
【図８】
2011104486.tif 000010